(57)【要約】【課題】パッシブ方式による３次元画像表示に適用するパターン位相差フィルムに関して、従来に比して斜め光を十分に遮光することができるようにする。【解決手段】基材に光配向材料膜を作製する光配向材料膜作製工程と、マスク１６を用いた光配向材料膜の露光処理により光配向膜３を作製する露光工程と、光配向膜３の上に、透過光に対応する位相差を与える第１の領域と、透過光に第１の領域とは異なる位相差を与える第２の領域とによる位相差層を作製する位相差層作製工程とを備える。マスク１６が、第１又は第２の領域に対応するスリットＳを備えた第１の遮光膜１６Ａと、第１又は第２の領域に対応するスリットＳを備え、第１の遮光膜１６Ａに対して一定の距離だけ隔てて第１の遮光膜Ａ６Ａに平行に、かつ第１の遮光膜１６Ａとの間でスリットＳが重なり合うように保持された第２の遮光膜１６Ｂを備える。【選択図】図９
2015049418.tif 000002
【特許請求の範囲】
【請求項１】
長尺透明フィルム材による基材を搬送しながら順次処理してパターン位相差フィルムを作製するパターン位相差フィルムの製造方法において、
前記基材に光配向材料膜を作製する光配向材料膜作製工程と、
マスクを用いた前記光配向材料膜の露光処理により光配向膜を作製する露光工程と、
前記光配向膜の上に、透過光に対応する位相差を与える第１の領域と、透過光に前記第１の領域とは異なる位相差を与える第２の領域とによる位相差層を作製する位相差層作製工程とを備え、
前記マスクが、
前記第１又は第２の領域に対応するスリットを備えた第１の遮光膜と、
前記第１又は第２の領域に対応するスリットを備え、前記第１の遮光膜に対して一定の距離だけ隔てて前記第１の遮光膜に平行に、かつ前記第１の遮光膜との間でスリットが重なり合うように保持された第２の遮光膜とを備える
パターン位相差フィルムの製造方法。
【請求項２】
前記マスクは、
平板形状による透明板状部材の１方の面に前記第１の遮光膜が形成され、前記透明板状部材の他方の面に前記第２の遮光膜が形成されることにより、
前記第１の遮光膜に対して一定の距離だけ隔てて前記第１の遮光膜に平行に前記第２の遮光膜が作製された
請求項１に記載のパターン位相差フィルムの製造方法。
【請求項３】
前記第１及び第２の遮光膜の間隔が１０ｍｍ以上である
請求項１又は請求項２に記載のパターン位相差フィルムの製造方法。
【請求項４】
パターン位相差フィルムに係る光配向膜の製造に供する露光装置において、
光源より出射された露光光を、マスクを介して光配向材料膜に照射することにより、前記光配向膜を作製し、
前記マスクが、
前記パターン位相差フィルムに係る領域の設定に対応するスリットがそれぞれ繰り返し設けられた第１の遮光膜と第２の遮光膜とを備え、
前記第１の遮光膜に対して一定の距離だけ隔てて前記第１の遮光膜に平行に、かつ前記第１の遮光膜との間でスリットが重なり合うように第２の遮光膜が保持された
露光装置。
【請求項５】
前記マスクは、
平板形状による透明板状部材の１方の面に前記第１の遮光膜が形成され、前記透明板状部材の他方の面に前記第２の遮光膜が形成されることにより、
前記第１の遮光膜に対して一定の距離だけ隔てて前記第１の遮光膜に平行に前記第２の遮光膜が作製された
請求項４に記載の露光装置。
【請求項６】
前記第１及び第２の遮光膜の間隔が１０ｍｍ以上である
請求項４又は請求項５に記載の露光装置。
【請求項７】
パターン位相差フィルムに係る光配向膜の製造に供するマスクにおいて、
前記パターン位相差フィルムに係る領域の設定に対応するスリットがそれぞれ繰り返し設けられた第１の遮光膜と第２の遮光膜とを備え、
前記第１の遮光膜に対して一定の距離だけ隔てて前記第１の遮光膜に平行に、かつ前記第１の遮光膜との間でスリットが重なり合うように第２の遮光膜が保持された
マスク。
【発明の詳細な説明】
【技術分野】
【０００１】
本発明は、パッシブ方式による３次元画像表示に適用するパターン位相差フィルムの製造方法等に関するものである。
【背景技術】
【０００２】
近年、パッシブ方式により３次元画像を表示する画像表示装置が提供されている。ここで図１２は、液晶表示パネルを使用したパッシブ方式の画像表示装置を示す概略図である。パッシブ方式の画像表示装置は、垂直方向又は水平方向（この図１２の例では、垂直方向）に連続する液晶表示パネルの画素を、順次交互に、右目用及び左目用に割り当て、それぞれ右目用及び左目用の画像データで駆動し、これにより右目用の画像と左目用の画像とを同時に表示する。また液晶表示パネルのパネル面（視聴者側面）にパターン位相差フィルムを配置し、右目用の画素及び左目用の画素からの直線偏光による出射光を、右目用及び左目用で方向の異なる円偏光に変換する。これによりパッシブ方式では、対応する偏光フィルタを備えてなる眼鏡を装着して、右目用の画像と左目用の画像とをそれぞれ選択的に視聴者の右目及び左目に提供し、３次元画像を表示する。
【０００３】
このためパターン位相差フィルムは、液晶表示パネルにおける画素の設定に対応して、遅相軸方向（屈折率が最大となる方向）が直交する２種類の帯状領域が順次交互に形成される。なおここでこの隣接する帯状領域の遅相軸方向は、通常、水平方向に対して、＋４５度と−４５度の組み合わせ、又は０度と＋９０度の組み合わせが採用される。なおこの図１２の例では、通常の画像表示装置における呼称に習って画面の長辺方向を水平方向として示す。
【０００４】
このパッシブ方式は、応答速度の遅い画像表示装置でも適用することができ、さらにパターン位相差フィルムと円偏光メガネとを用いた簡易な構成で３次元表示することができる。なおパッシブ方式の画像表示装置では、図１２の例による垂直方向に代えて、水平方向に連続する画素を順次交互に右目用及び左目用に振り分ける方法も採用される。
【０００５】
このパッシブ方式に係るパターン位相差フィルムは、画素の割り当てに対応して透過光に位相差を与えるパターン状の位相差層が必要である。パターン位相差フィルムでは、このパターン状の位相差層に対応するように配向能が設定された配向膜が作製される。またこの配向膜の上に、重合性液晶化合物の塗工液を塗工して乾燥硬化させることにより、配向膜の配向規制力で配向させた状態で液晶材料を硬化（固化）させ、これにより位相差層が作製される。また配向膜は、いわゆる光配向の手法を適用して作製する方法（特許文献１）、微細凹凸形状を転写（賦型）して作製する方法が採用されている。
【０００６】
ここで光配向の手法を適用して配向層を作製する場合、上述した２種類の帯状領域に対応する２回の露光処理が必要であり、この２回の露光処理の１方又は双方でマスクを使用してフィルム材を選択的に露光処理する。特許文献２には、長尺フィルム材をドラムに押し付けて搬送するようにして、このドラムに対向するようにマスクを配置して露光処理する方法が開示されている。
【０００７】
従来、この種のマスクには、いわゆる石英クロムマスクが使用される。図１３は、この石英クロムマスクを示す平面図である。このマスクは、露光に供する光（以下、露光光と呼ぶ）を透過させるスリットＳが連続するように作製される。ここでスリットＳは、画像表示装置における右目用の画像を表示する領域又は左目用の画像を表示する領域に対応する開口である。従ってスリットＳは、画像表示装置における領域の設定に対応するピッチにより繰り返し配置される。
【０００８】
図１４は、Ａ−Ａ腺により断面を取って示すマスクの端面図である。マスクは、透明板状部材による支持部材４１の一方の側の面に遮光部４２を配置して形成される。ここで支持部材４１は、露光光に対して十分な透過率を備えた板材が適用され、石英クロムマスクでは石英ガラスにより作製される。遮光部４２は、金属等の遮光部材による遮光膜を蒸着等により支持部材４１に形成した後、エッチングによりこの遮光膜にスリットＳを形成して作製される。石英クロムマスクは、この遮光部材に係る金属にクロムが適用され、遮光部５２は、例えば膜厚１００ｎｍ程度により作製される。
【０００９】
ところでこの種の露光処理にあっては、平行光線により露光することが望まれる。しかしながら従来のマスクによっては、露光面Ｍに対して鉛直方向から斜めに傾いて入射する非平行光、迷光（以下、斜め光と呼ぶ）を十分に遮光し得ず、斜め光がスリットＳを通過して露光面Ｍに到達する。
【００１０】
このように露光面Ｍに到達する斜め光は、平行光線による主光線に比して光量が少ないものの、主光線による露光領域の幅を広げることになり、さらにはこの主光線による露光領域のエッジをぼやかすことになり、これにより露光精度を劣化させることになる。その結果、パターン位相差フィルムにおいては、このような斜め光により右目用の画像と左目用の画像とに対応する領域の作製精度が劣化する問題がある。より具体的には、右目用の画像又は左目用の画像に対応する領域の領域幅、右目用の画像及び左目用の画像に対応する領域間の境界について、作製精度が低下することになる。
【先行技術文献】
【特許文献】
【００１１】
【特許文献１】特開２００５−４９８６５号公報
【特許文献２】特開２０１２−０４２５３０号公報
【発明の概要】
【発明が解決しようとする課題】
【００１２】
本発明はこのような状況に鑑みてなされたものであり、パッシブ方式による３次元画像表示に適用するパターン位相差フィルムに関して、従来に比して斜め光を十分に遮光することができるパターン位相差フィルムの製造方法、露光装置及びマスクを提供することを目的とする。
【課題を解決するための手段】
【００１３】
本発明者は、上記課題を解決するために鋭意研究を重ね、スリットを備えてなる遮光膜を離間して平行に保持することにより斜め光を遮光する、との着想に至り、本発明を完成するに至った。
【００１４】
（１）  長尺透明フィルム材による基材を搬送しながら順次処理してパターン位相差フィルムを作製するパターン位相差フィルムの製造方法において、
前記基材に光配向材料膜を作製する光配向材料膜作製工程と、
マスクを用いた前記光配向材料膜の露光処理により光配向膜を作製する露光工程と、
前記光配向膜の上に、透過光に対応する位相差を与える第１の領域と、透過光に前記第１の領域とは異なる位相差を与える第２の領域とによる位相差層を作製する位相差層作製工程とを備え、
前記マスクが、
前記第１又は第２の領域に対応するスリットを備えた第１の遮光膜と、
前記第１又は第２の領域に対応するスリットを備え、前記第１の遮光膜に対して一定の距離だけ隔てて前記第１の遮光膜に平行に、かつ前記第１の遮光膜との間でスリットが重なり合うように保持された第２の遮光膜とを備える。
【００１５】
（１）によれば、大きな傾きにより入射して１方の遮光膜のスリットを斜め光が透過した場合でも、続く第２の遮光膜により遮光することができる。これにより従来に比して斜め光を十分に遮光することができる。
【００１６】
（２）  （１）において、前記マスクは、
平板形状による透明板状部材の１方の面に前記第１の遮光膜が形成され、前記透明板状部材の他方の面に前記第２の遮光膜が形成されることにより、
前記第１の遮光膜に対して一定の距離だけ隔てて前記第１の遮光膜に平行に前記第２の遮光膜が作製された。
【００１７】
（２）によれば、簡易かつ確実に第１及び第２の遮光膜を保持するようにして、斜め光を十分に遮光することができる。
【００１８】
（３）  （１）又は（２）において、
前記第１及び第２の遮光膜の間隔が１０ｍｍ以上である。
【００１９】
（３）によれば、実用上十分に斜め光を遮光することができる。
【００２０】
（４）  パターン位相差フィルムに係る光配向膜の製造に供する露光装置において、
光源より出射された露光光を、マスクを介して光配向材料膜に照射することにより、前記光配向膜を作製し、
前記マスクが、
前記パターン位相差フィルムに係る領域の設定に対応するスリットがそれぞれ繰り返し設けられた第１の遮光膜と第２の遮光膜とを備え、
前記第１の遮光膜に対して一定の距離だけ隔てて前記第１の遮光膜に平行に、かつ前記第１の遮光膜との間でスリットが重なり合うように第２の遮光膜が保持された。
【００２１】
（４）によれば、大きな傾きにより入射して１方の遮光膜のスリットを斜め光が透過した場合でも、続く第２の遮光膜により遮光することができる。これにより従来に比して斜め光を十分に遮光することができる。
【００２２】
（５）  （４）において、
前記マスクは、
平板形状による透明板状部材の１方の面に前記第１の遮光膜が形成され、前記透明板状部材の他方の面に前記第２の遮光膜が形成されることにより、
前記第１の遮光膜に対して一定の距離だけ隔てて前記第１の遮光膜に平行に前記第２の遮光膜が作製された。
【００２３】
（５）によれば、簡易かつ確実に第１及び第２の遮光膜を保持するようにして、斜め光を十分に遮光することができる。
【００２４】
（６）  （４）又は（５）において、
前記第１及び第２の遮光膜の間隔が１０ｍｍ以上である。
【００２５】
（６）によれば、実用上十分に斜め光を遮光することができる。
【００２６】
（７）  パターン位相差フィルムに係る光配向膜の製造に供するマスクにおいて、
前記パターン位相差フィルムに係る領域の設定に対応するスリットがそれぞれ繰り返し設けられた第１の遮光膜と第２の遮光膜とを備え、
前記第１の遮光膜に対して一定の距離だけ隔てて前記第１の遮光膜に平行に、かつ前記第１の遮光膜との間でスリットが重なり合うように第２の遮光膜が保持された。
【００２７】
（７）によれば、大きな傾きにより入射して１方の遮光膜のスリットを斜め光が透過した場合でも、続く第２の遮光膜により遮光することができる。これにより従来に比して斜め光を十分に遮光することができる。
【発明の効果】
【００２８】
パッシブ方式による３次元画像表示に適用するパターン位相差フィルムに関して、従来に比して斜め光を十分に遮光することができる。
【図面の簡単な説明】
【００２９】
【図１】本発明の第１実施形態に係るパターン位相差フィルムを示す図である。
【図２】図１のパターン位相差フィルムの製造工程を示すフローチャートである。
【図３】図２の露光工程の説明に供する図である。
【図４】図２の露光工程に係る露光装置を示す図である。
【図５】マスクの原理説明に供する図である。
【図６】各部の設定の説明に供する図である。
【図７】斜め光の遮光の説明に供する図表である。
【図８】図７の図表による特性曲線図である。
【図９】図２の露光工程に使用するマスクを示す図である。
【図１０】他の実施形態に係るマスクを示す図である。
【図１１】図１０とは異なる例による他の実施形態に係るマスクを示す図である。
【図１２】パッシブ方式による３次元画像表示の説明に供する図である。
【図１３】石英クロムマスクを示す図である。
【図１４】図１３をＡ−Ａ線により切り取って示す端面図である。
【発明を実施するための形態】
【００３０】
〔第１実施形態〕
図１は、本発明の第１実施形態に係る画像表示装置に適用されるパターン位相差フィルムを示す図である。この第１実施形態に係る画像表示装置は、垂直方向（図１においては左右方向）に連続する液晶表示パネルの画素が、順次交互に、右目用の画像を表示する右目用画素、左目用の画像を表示する左目用画素に振り分けられて、それぞれ右目用及び左目用の画像データで駆動される。これにより画像表示装置は、右目用の画像を表示する帯状の領域と、左目用の画像を表示する帯状の領域とに表示画面が交互に区分され、右目用の画像と左目用の画像とを同時に表示する。この画像表示装置は、この液晶表示パネルのパネル面に、この図１に示すパターン位相差フィルム１が配置され、このパターン位相差フィルム１により右目用及び左目用の画素からの出射光にそれぞれ対応する位相差を与える。これによりこの画像表示装置は、パッシブ方式により所望の立体画像を表示する。
【００３１】
ここでパターン位相差フィルム１は、ＴＡＣ（トリアセチルセルロース）等の透明フィルムからなる基材２の一方の面上に、配向膜３、位相差層４が順次作製される。パターン位相差フィルム１は、位相差層４が屈折率異方性を保持した状態で固化（硬化）された液晶材料により形成され、この液晶材料の配向を配向膜３の配向規制力によりパターンニングする。なおこの液晶分子の配向を図１では細長い楕円により誇張して示す。このパターンニングにより、パターン位相差フィルム１は、液晶表示パネルにおける画素の割り当てに対応して、一定の幅により、右目用の領域（第１の領域）Ａと、左目用の領域（第２の領域）Ｂとが順次交互に帯状に形成され、右目用及び左目用の画素からの出射光にそれぞれ対応する位相差を与える。パターン位相差フィルム１おいては、配向膜３が光配向膜により作製される。
【００３２】
図２は、このパターン位相差フィルム１の製造工程を示すフローチャートである。パターン位相差フィルム１の製造工程は、ロールに巻き取った長尺フィルムにより基材２が提供され、この基材２をロールより送り出して光配向材料膜が順次作製される（ステップＳＰ１−ＳＰ２）。ここで光配向材料膜は、各種の製造方法を適用することができるものの、この実施の形態では、光配向材料をベンゼン等の溶媒に分散させた成膜用液体をダイにより塗布した後、乾燥して作製される。なお光配向材料は、光配向の手法を適用可能な各種の材料を適用することができるものの、この実施形態では、繰り返しの露光処理により配向方向がその都度変化する材料が適用される。このような材料としては、例えば、光異性化反応型の光配向材料を使うことができる。なお光異性化に関しては、「W.M.Gibbons,  PJ.Shannon,  S.T.Sun  and  B.J.Swetlin:Nature,351,49(1991)」で報告されている。
【００３３】
続いてこの製造工程は、露光工程により紫外線を照射して光配向膜が作製される（ステップＳＰ３）。続いてこの製造工程は、位相差層作製工程において、ダイ等により液晶材料を塗布した後、紫外線の照射によりこの液晶材料を硬化させ、位相差層４が作製される（ステップＳＰ４）。続いてこの製造工程は、必要に応じて反射防止膜の作製処理等を実行した後、切断工程において、所望の大きさに切り出してパターン位相差フィルム１が作製される（ステップＳＰ５−ＳＰ６）。
【００３４】
図３は、光配向膜に係る露光工程の詳細を示す図である。この製造工程は、全面に直線偏光による紫外線（偏光紫外線）を照射することにより、光配向材料膜の全面を右目用の領域Ａ又は左目用の領域Ｂに対応する方向に配向させる（図３（Ａ））。続いてこの工程は、１回目の露光処理とは偏光方向が９０度異なる直線偏光によりマスク１６を介して紫外線を照射し、これにより２回目の露光処理を実行して左目用の領域Ｂ又は右目用の領域Ａを選択的に配向させる。これによりこの露光工程では、１回目の露光処理により全面が一様に配向した光配向材料膜に対して、２回目の露光処理により左目用の領域Ｂ又は右目用の領域Ａを選択的に配向し直し、光配向膜３を作製する。
【００３５】
図４は、２回目の露光処理に供する露光装置の説明に供する斜視図である。マスク１６は、長尺による基材２の幅により形成され、この基材２の搬送方向に延長する細長い矩形の形状によるスリットＳが一定の間隔で順次設けられる。ここでスリットＳは、右目用領域又は前記左目用領域に対応する幅及びピッチにより繰り返し設けられる。この露光装置は、ロール１７に対向するようにマスク１６が配置され、ロール１７により搬送する基材２に、図示しない光源から射出される紫外線を、直線偏光板、マスク１６を介して照射する。
【００３６】
従ってこの２回目のマスク１６を使用した露光処理において、斜め光により露光の精度が劣化する場合には、２回目の露光処理により配向し直して作製する左目用の領域Ｂ又は右目用の領域Ａの幅が、マスクに形成されたスリットの幅より大きくなったり、さらにこの２回目の露光処理に係る領域の外側領域（右目用領域Ａ又は左目用領域Ｂとの境界）で正しい方向に光配向材料膜が配向してない部位が発生することになる。なおこのように正しい方向に光配向材料膜が配向していない部位では、位相差層に係る液晶材料を正しい方向に配向させることが困難になり、その結果、パターン位相差フィルムでは、右目用領域Ａ及び左目用領域Ｂの間の境界幅が幅広になり、著しい場合にはクロストークの発生原因となる。なおクロストークは、本来、右目に入射する画像表示パネルからの光の一部が左目に入射したり、これとは逆に、本来、左目に入射する画像表示パネルからの光の一部が右目に入射したりする現象であり、３次元画像表示において画質を劣化させ、立体感を喪失させる原因となる。
【００３７】
そこでこの実施形態では、スリットを備えてなる遮光膜を離間して平行に保持してマスク１６を構成し、これにより斜め光を制限する。図５は、この斜め光の遮光の説明に供する図である。ここでマスク１６は、それぞれスリットを備えてなる遮光膜１６Ａ及び１６Ｂが所定の間隔だけ離間して平行に、かつ遮光膜１６Ａ及び１６ＢのスリットＳが重なり合うように保持されているものとする。この場合、露光光Ｌが平行光線である場合、マスクに形成されたスリットＳの形状による光束によりマスクの透過光が露光面Ｍに到達することになる。従ってこの場合、露光面Ｍは、スリットＳの形状により露光される。これに対して傾きが大きい斜め光は、入射側の遮光膜１６ＡのスリットＳを透過した場合でも、出射側の遮光膜１６Ｂにより遮光されることになる。その結果、一定角度以上の入射角により入射する斜め光については、露光面Ｍに到達しないようにすることができ、これにより斜め光を十分に遮光して露光精度を向上し、光配向膜の作製精度を向上することができる。
【００３８】
図７は、この斜め光に係る遮光の確認に供した検討結果を示す図表である。図６に示すように、Ｄは遮光膜１６Ａ及び１６Ｂの間隔であり、ＷはスリットＳの幅であり、θは、マスク１６に対する斜め光の入射角である。図８は、この図７の検討結果を特性曲線により示すものであり、Ｌ１及びＬ２は、それぞれＷが０．５ｍｍ、０．３ｍｍの場合である。この検討結果によれば、間隔Ｄを大きくすればする程、斜め光を十分に遮光して露光精度を向上し、光配向膜の作製精度を向上できることが判る。
【００３９】
ここで光配向層に適用する材料の感度、光源からの主光線に対する斜め光の光量等によっても変化するものの、実際上、この種の露光工程では、斜め入射光を３度以下に低減することができれば、より好ましくは２度以下に低減することができれば、実用上十分に露光精度を確保することができる。これにより間隔Ｄを１０ｍｍ以上に設定すれば、斜め入射光を３度以下に低減し、実用上十分に露光精度を確保することができる。
【００４０】
図９は、この実施形態に係るマスク１６の詳細構成を示す断面図である。マスク１６は、平板形状による透明板状部材である石英ガラス１６Ｃの両面に遮光膜１６Ａ及び１６Ｂが作製される。これによりマスク１６は、この石英ガラス１６Ｃにより、１０ｍｍ以上の間隔だけ離間して平行に、かつスリットＳが重なり合うように保持される。より具体的に、マスク１６は、石英ガラス１６Ｃの両面にクロムによる遮光膜を作製した後、エッチングによりスリットＳを設けて作製される。
【００４１】
この実施形態では、スリットを備えてなる遮光膜を離間して平行に保持することにより、従来に比して斜め光を十分に遮光することができ、その結果、従来に比して高い精度によりパターン位相差フィルムを作製することができる。
【００４２】
さらに平板形状による透明板状部材により遮光膜を離間して平行に保持することにより、簡易かつ確実に遮光膜を離間して平行に保持するができる。またこの透明板状部材に石英ガラスを適用することにより、従来のマスク作製手法を有効に利用してマスクを作製することができる。
【００４３】
〔他の実施形態〕
以上、本発明の実施に好適な具体的な構成を詳述したが、本発明は、本発明の趣旨を逸脱しない範囲で、上述の実施形態の構成を種々に変更することができる。
【００４４】
すなわち上述の実施形態では、平板形状による透明板状部材に石英ガラスを適用する場合について述べたが、本発明はこれに限らず、要は露光光に対して透明である板状部材であれば良く、種々の透明板状部材を広く適用することができる。
【００４５】
また上述の実施形態では、平板形状による透明板状部材により第１及び第２の遮光膜を平行に離間して保持する場合について述べたが、本発明はこれに限らず、例えば図１０に示すように枠体２６Ｃにより第１及び第２の遮光膜１６Ａ及び１６Ｂを平行に離間して保持するようにしてマスク２６を構成してもよい。またこのとき、図１１に示すように、桟、支柱を設けた枠体３６Ｃにより第１及び第２の遮光膜１６Ａ及び１６Ｂを平行に離間して保持するようにしてマスク３６を構成するようにしてもよい。またこの場合、スリットＳの連続する方向に延長するように桟を作製するようにしてもよい。
【００４６】
また上述の実施形態では、全面を一様に露光した後、右目用領域又は左目用領域を選択的に露光し直して光配向膜を作製する場合について述べたが、本発明はこれに限らず、右目用領域又は左目用領域を選択的に露光した後、全面に一様に紫外線を照射して未露光領域を露光することにより光配向膜を作製する場合、右目用領域又は左目用領域を選択的に露光した後、左目用領域又は右目用領域を選択的に露光して光配向膜を作製する場合にも広く適用することができる。
【００４７】
また上述の実施形態では、液晶表示パネルの使用を前提としたパターン位相差フィルムを作製する場合について述べたが、本発明はこれに限らず、有機ＥＬパネル、プラズマディスプレイパネルの使用を前提に、偏光フィルタを一体に設ける場合にも広く適用することができる。
【符号の説明】
【００４８】
１  パターン位相差フィルム
２  基材
３  配向膜
４  位相差層
１６、２６、３６  マスク
１６Ａ  １６Ｂ  遮光部
１６Ｃ  石英ガラス
１７  ロール
２６Ｃ、３６Ｃ  枠体
【図１】
2015049418.tif 000003
【図２】
2015049418.tif 000004
【図３】
2015049418.tif 000005
【図４】
2015049418.tif 000006
【図５】
2015049418.tif 000007
【図６】
2015049418.tif 000008
【図７】
2015049418.tif 000009
【図８】
2015049418.tif 000010
【図９】
2015049418.tif 000011
【図１０】
2015049418.tif 000012
【図１１】
2015049418.tif 000013
【図１２】
2015049418.tif 000014
【図１３】
2015049418.tif 000015
【図１４】
2015049418.tif 000016